(57)【要約】【課題】  本発明は、保冷，保温性能にすぐれて、缶に巻き取付けしたときにずれ動いたり脱落したりすることがなく、しかも小さく折り畳んで携帯にも便利な缶ホルダーを新規に提供するものである。【解決手段】  本発明は、ビール缶など飲料入りの缶の外表に巻き留めして缶内の飲料を保冷・保温する缶ホルダーにおいて、該缶ホルダーの内面に曲げ抵抗を緩和し、曲げじわの発生を防止する縦溝の連続面を設けて、該ホルダーを４ｍｍ以上の厚みをもって形成するようにしたことを特徴とする缶ホルダーにある。【選択図】  図１
2009066210.tif 000002
【特許請求の範囲】
【請求項１】
ビール缶など飲料入りの缶の外表に巻き留めして缶内の飲料を保冷・保温する缶ホルダーにおいて、該缶ホルダーの内面に曲げ抵抗を緩和し、曲げじわの発生を防止する縦溝の連続面を設けて、該ホルダーを４ｍｍ以上の厚みをもって形成するようにしたことを特徴とする缶ホルダー。
【発明の詳細な説明】
【技術分野】
【０００１】
この発明は缶ホルダー、詳しくは缶内の飲料を保冷・保温する缶ホルダーに関するものである。
【背景技術】
【０００２】
この種の缶ホルダーとしては特開平９−２８９９４０号公報がある。該公報は厚さ１ｍｍ乃至２ｍｍ前後の薄い発泡ポリエチレンの内面にアルミニュームフィルムを蒸着して帯状の包装体を形成し、これを缶の外面に巻付け、密植毛接合テープにて留めることを記載している。
【特許文献１】特開平９−２８９９４０号公報
【発明の開示】
【発明が解決しようとする課題】
【０００３】
しかしながら該公報が記載する缶ホルダーは１乃至２ｍｍ程度に発泡ポリエチレンが薄いことで、飲料入りの缶に巻付けて使用するも、保冷，保温作用に多くの効果を期待することができないという課題がある。しかも、曲げ抵抗と曲げじわに対する工夫が全くないために缶に巻付け留めすると、缶ホルダーの内面に曲げじわが生じて缶との間で隙間が生じて保冷・保温作用をさらに減じ、また戻り圧により弛るみが出てビール缶などがずれて脱落するおそれが生ずるという課題がある。
【課題を解決するための手段】
【０００４】
本発明は、ビール缶など飲料入りの缶の外表に巻き留めして保冷・保温する缶ホルダーにおいて、該缶ホルダーの内面に曲げ抵抗を緩和し、曲げじわの発生を防止する縦溝の連続面を設けて、該ホルダーを４ｍｍ以上の厚みをもって形成するようにして、かかる課題を解決するようにしたのである。
【発明の効果】
【０００５】
本発明の缶ホルダーは、縦溝の連続面を内面に設けたので、缶に曲げ抵抗なしに巻付け得て、また内面に曲げじわを作らずに密着巻付けすることができるという効果を生ずる。
【０００６】
戻り圧による弛るみが生じないことで、缶がずれたり、脱落することがないという効果を生ずる。
【０００７】
曲げ抵抗と曲げじわの発生を防止することで、缶ホルダーを４ｍｍ以上の厚さにし得て、保冷・保温効果を一段と向上させることができるという効果を生ずる。
【発明を実施するための最良の形態】
【０００８】
本発明は、ビール缶など飲料入りの缶の外表に巻き留めして保冷・保温する缶ホルダーにおいて、該ホルダーの内部に曲げ抵抗を緩和し、曲げじわの発生を防止する縦溝の連続面を設けて、該ホルダーを４ｍｍ以上の厚みをもって形成するようにしたのである。
【実施例１】
【０００９】
表側を２ｍｍ以上の厚さのポリプロピレンシート１の裏側に同厚以上のシリコーン素材（ゴム）シート２を接着して缶ホルダー３を形成する。裏シート２の内面に同ピッチにてなる縦溝４の連続面４ａを形成する。
【００１０】
縦溝４は断面Ｖ形を含んだ形状において連続面４ａを形成することで、巻付けの際の曲げ抵抗を無に近い状態に緩和して戻り圧が生じないことになり、且つ曲げによって内面に生じ勝ちな曲げじわを全く生じさせないものとなる。５ａ，５ｂは巻き留め用として取付ける雌雄の平面ファスナーである。
【００１１】
このようにして各種の缶６の缶表に巻き留めする大小各種の缶ホルダー３を形成するのである。この缶ホルダー３は各種の飲料入りの缶などの大きさに適した大きさのものを選択して、巻付け留めするのである。
【００１２】
缶ホルダー３は図３に示すように内面の全面にＶ形などの縦溝４の連続面４ａを設けて曲げ抵抗と戻り圧を和らげ、内面に曲げじわを作らないようにしたので、缶６との間で隙間を作らずに密着巻付け留めされることとなる。密着して巻付け留めすることによって缶ホルダー３を持っても飲料入りの缶６などはずれ動かず、脱落することはない。
【００１３】
缶ホルダー３は４ｍｍ以上と厚くして、しかも保冷・保温にすぐれた２種のシートの接着にてなるので保冷・保温効果は一段と向上することとなる。
【実施例２】
【００１４】
ビール，清涼飲料用として一般的な３５０ｍｌ缶６ａ用の缶ホルダー３について詳しく説明する。
厚さ約３ｍｍのポリプロピレンシート１を表側とし，厚さ約３ｍｍのシリコーンゴムシート２を裏側にして、ともに縦１１０ｍｍ、横２４０ｍｍの大きさに裁断して接着する。シリコーンゴムシート２は缶６ａに接面する内面の全面に深さ２ｍｍ程のＶ形の縦溝４の連続面４ａを形成する。
【００１５】
ポリプロピレンシート１は、熱伝導率が０.１７〜０.１９と低く断熱性、すなわち保冷・保温性にすぐれ、比重も約０.９と最も軽い合成樹脂であり、割れにくくしなやかな性質で繰返しの屈曲に強い耐久性があり、さらに表面がなめらかで手ざわりがよく、吸水率が０.０３と小さくてほとんど水分を吸わない撥水性を備えている。また印刷インクの発色にすぐれているという性質も備えているので、花柄などの図柄を印刷して美麗に飾ることができるほか、飲料製造会社，店舗などの広告印刷面として利用することもできる。一方のシリコーンゴムシート２は耐熱性・耐寒性・撥水性にすぐれ、非常に低硬度でやわらかいために缶６ａに対する密着性が高く、缶６ａに巻付けたときにずれ動くことが全くなく脱落することも生じないものとなる。また伸縮疲労がないので縦溝４部分に亀裂，破損の生ずることがなく、表側のポリプロピレンと同様に屈曲の繰返しにも強いので長く使用することができるものである。
【００１６】
以上のようにして形成した缶ホルダー３は図４に示すように冷却した缶ビール等の３５０ｍｌ缶６ａに巻付けて平面テープ５ａ，５ｂの接着にて固定する。缶ホルダー３はポリプロピレンシート１とシリコーンゴムシート２の二重構造によって断熱性を強化したので、保冷作用は強力である。巻付け時に内面の各縦溝４がそれぞれ圧縮して空間をなくすことで缶６ａの周囲に曲げじわなどの隙間を作らずに密着することとなるので結露が生ずることもない。極く軽量なポリプロピレンシート１を使用したのでクッション性があるにかかわらず軽くて重量感というものは生じない。また、缶ホルダー３の表面に汚水などがかかっても撥水することで、元のきれいさに戻ることとなる。また表裏シート１，２はともにやわらかいので、図７に示すように扁平に折り畳んで保管し、携帯することもできる。
【実施例３】
【００１７】
図５（ａ）は５００ｍｌ（ロング）缶用、図５（ｂ）は２５０ｍｌ缶用の缶ホルダー３の例を示すもので、５００ｍｌ缶６ｂ用は縦寸法を１５０ｍｍと長くし、２５０ｍｌ缶６ｃ用は横寸法を２１０ｍｍに短くしたほかは３５０ｍｌ缶用と同じである。なお図６に示すように３５０ｍｌ缶６ａ用の缶ホルダー３の平面ファスナー５ａの幅を広くして細く巻留めることができるようにすることで２５０ｍｌ缶６ｃ用と共用にすることもできる。また図示してないが、コーヒー飲料などに多い、いわゆるショート缶用の缶ホルダーもシートの裁断寸法を合わせることで同様にして形成することができる。熱く加温したコーヒー缶に缶ホルダー３を使用するときは、保温作用のほか、やけどするおそれなしに缶を持つことができることとなる。なお、さらに断熱性の高い高断熱ポリプロピレンシート１、その他の高断熱性のシート素材を使用し、内面の縦溝４を浅くして連続面４ａのピッチを小さく形成することで、すぐれた保冷・保温作用を維持したまま曲げじわも発生させずに缶ホルダー３の厚みを３ｍｍ程にして形成することもできる。
【産業上の利用可能性】
【００１８】
本発明は、冷したビール缶，清涼飲料缶、加温したコーヒー缶などの外表に密嵌着して保温作用を長く維持するようにし、扁平に折り畳んで容易に携帯できるものとしたので、普段使いからアウトドアまで広く利用することができるものである。
【図面の簡単な説明】
【００１９】
【図１】缶ホルダーと飲料入り缶を示す斜視図
【図２】缶ホルダーを缶に巻留めした状態を示す斜視図
【図３】（ａ）は缶ホルダーの部分拡大平面図、（ｂ）は同、缶に対する巻留め円曲により縦溝の空間が圧縮されて曲げじわなく缶の表面に密着する状態を示す図
【図４】３５０ｍｌ缶に缶ホルダーを巻留めした状態を示す斜視図
【図５】５００ｍｌ缶、２５０ｍｌ缶に各缶用の缶ホルダーを巻留めした例を示す斜視図
【図６】３５０ｍｌ缶と２５０ｍｌ缶兼用の缶ホルダーの例を示す斜視図
【図７】缶ホルダーを扁平に折畳みした状態を示す斜視図
【符号の説明】
【００２０】
１は表側のポリプロピレンシート
２は裏側のシリコーンゴムシート
３は缶ホルダー
４は縦溝
４ａは連続面
５ａ，５ｂは平面ファスナー
６，６ａ，６ｂ，６ｃは飲料入りの各種の缶
【図１】
2009066210.tif 000003
【図２】
2009066210.tif 000004
【図３】
2009066210.tif 000005
【図４】
2009066210.tif 000006
【図５】
2009066210.tif 000007
【図６】
2009066210.tif 000008
【図７】
2009066210.tif 000009